(57)【要約】【課題】コンパクトでクッション性に優れたランバーサポート装置を提供する。【解決手段】ランバーサポート装置２３は、背フレーム７のサイドメンバー８に取付けられるベース部２４と、ベース部２４の下端に一体に設けた身体支持部２５と有している。身体支持部２５は、背板１１に後ろから当たるパッド部２６と、パッド部２６とベース部２４とを繋ぐ中間部２７とから成っており、中間部２７の先端部は、弾性変形可能な湾曲部２７ａになっている。従って、身体支持部２５は、平面視でＣ字を潰したような形態になっている。中間部２７の後面には、摘み部２８を後ろ向きに突設している。湾曲部２７ａが体圧で変形するため、クッション性に優れている。パッド部２６をサイドメンバー８に寄せることも、容易に実現できる。【選択図】図６
2019198518.tif 000002
【特許請求の範囲】
【請求項１】
背フレーム又は背支柱に取り付けるランバーサポート装置であって、
前記背フレーム又は背支柱に取り付くベース部と、背もたれの体圧支持体に後ろから重なるパッド部と、前記パッド部の後ろに位置して当該パッド部と前記ベース部とに繋がった中間部とを有しており、前記中間部は、前記パッド部が着座者の体圧によって後退し得るように平面視又は側面視で曲がった形状の弾性変形許容部を有している、
椅子のランバーサポート装置。
【請求項２】
前記パッド部は、その一端が前記中間部に繋がって、他端は自由端になっている、
請求項１に記載した椅子のランバーサポート装置。
【請求項３】
前記背フレームは上下長手の左右サイドメンバーを有しており、前記左右のサイドメンバーに独立して取付けられる左右分離方式である、
請求項１又は２に記載した椅子のランバーサポート装置。
【請求項４】
前記ベース部は背フレームのサイドメンバーに取付けられるようになっていて、前記中間部及びパッド部は、前記背フレームのサイドメンバーに寄せた状態で配置されるようになっており、前記中間部は、平面視でＪ字状又はＵ文字に形成されている、
請求項３に記載した椅子のランバーサポート装置。
【請求項５】
前記ベース部は、前記背フレームに高さ調節可能に取付けられる上下長手の形態になっている、
請求項１〜４のうちのいずれかに記載した椅子のランバーサポート装置。
【請求項６】
前記ベース部は、前記背フレーム又は背支柱に高さ調節可能に取り付くようになっており、前記中間部に、後ろ向きに突出した摘み部を設けている、
請求項５に記載した椅子のランバーサポート装置。
【請求項７】
前記背フレームのサイドメンバーは、上側に位置した後傾部と下側に位置した前傾部とで側面視く字形の形態になっていて、前記後傾部に前記体圧支持体が前から重なっており、前記ベース部は、前記サイドメンバーの後傾部に下方から挿入されている、
請求項４〜６のうちのいずれかに記載した椅子のランバーサポート装置。
【請求項８】
背フレーム又は背支柱に取り付けるランバーサポート装置であって、
前記背フレーム又は背支柱に取り付くベース部と、背もたれの体圧支持体に後ろから重なるパッド部と、前記パッド部の後ろに位置して当該パッド部と前記ベース部とに繋がった中間部とを有しており、前記中間部は、平面視又は正面視若しくは側面視で曲がった形状に形成されていて、着座者の体圧によって弾性変形することが許容されているか又は許容されていない、
椅子のランバーサポート装置。
【発明の詳細な説明】
【技術分野】
【０００１】
本願発明は、椅子のランバーサポート装置に関するものである。
【背景技術】
【０００２】
椅子のランバーサポート装置は、様々な構造が提案されている。ランバーサポート装置の構造は、背もたれの構造とも密接に関連しているが、１つの分類の仕方として、着座した人の体圧が掛かるランバーパッドが１つだけのタイプと、左右に分離して２つ配置されているタイプとに分けることができる。
【０００３】
ランバーパッドが左右に分離しているタイプとして、特許文献１には、前後に開口した背フレームにメッシュ材を張った背もたれにおいて、背フレームの左右側部に、ランバーパッドを上下回動自在に連結することが開示されている。
【０００４】
特許文献１では、左右のランバーパッドは背もたれの縦長中心線に寄っており、従って、着座した人の体圧がランバーパッドにダイレクトに掛かるようになっており、ランバーパッドは、回動することによって高さが変化する。
【先行技術文献】
【特許文献】
【０００５】
【特許文献１】特許第５３６４１０２号公報
【発明の概要】
【発明が解決しようとする課題】
【０００６】
さて、特許文献１のようにランバーパッドを背フレームに取り付けると、メッシュタイプの背もたれにも簡単に適用できる利点がある。しかし、ランバーパッドは着座した人の体圧をしっかりと支える構造になっているため、クッション性に乏しくして、使用者に突き上げ感を与えるおそれがあった。
【０００７】
また、上下回動によって高さ調節するためには、ある程度のスパンを必要とするため、ランバーパッドを背フレームに寄せて配置することは困難であり、従って、メッシュ材にテンションを付与することにより、メッシュ材にランバーサポートを持たせるタイプには適用が困難である。
【０００８】
本願発明はこのような現状に鑑み成されたものであり、従来にない改良されたランバーサポート装置を提供せんとするものである。
【課題を解決するための手段】
【０００９】
本願発明は様々な構成を含んでおり、その典型例を各請求項で特定している。このうち請求項１の発明は上位概念を成すもので、
「背フレーム又は背支柱に取り付けるランバーサポート装置であって、
前記背フレーム又は背支柱に取り付くベース部と、背もたれの体圧支持体に後ろから重なるパッド部と、前記パッド部の後ろに位置して当該パッド部と前記ベース部とに繋がった中間部とを有しており、前記中間部は、前記パッド部が着座者の体圧によって後退し得るように平面視又は側面視で曲がった形状の弾性変形許容部を有している」
という構成になっている。
【００１０】
請求項２の発明は請求項１の展開例であり、
「前記パッド部は、その一端が前記中間部に繋がって、他端は自由端になっている」
という構成になっている。
【００１１】
請求項３の発明は、請求項１又は２において、
「前記背フレームは上下長手の左右サイドメンバーを有しており、前記左右のサイドメンバーに独立して取付けられる左右分離方式である」
という構成になっている。
【００１２】
請求項４の発明は、請求項３において、
「前記ベース部は背フレームのサイドメンバーに取付けられるようになっていて、前記中間部及びパッド部は、前記背フレームのサイドメンバーに寄せた状態で配置されるようになっており、前記中間部は、平面視でＪ字状又はＵ文字に形成されている」
という構成になっている。
【００１３】
請求項５の発明は、背１〜４のうちのいずれかにおいて、
「前記ベース部は、前記背フレームに高さ調節可能に取付けられる上下長手の形態になっている」
というものである。
【００１４】
請求項６の発明は、請求項５において、
「前記ベース部は、前記背フレーム又は背支柱に高さ調節可能に取り付くようになっており、前記中間部に、後ろ向きに突出した摘み部を設けている」
という構成になっている。
【００１５】
請求項７の発明は、請求項４〜６のうちのいずれかにおいて、
「前記背フレームのサイドメンバーは、上側に位置した後傾部と下側に位置した前傾部とで側面視く字形の形態になっていて、前記後傾部に前記体圧支持体が前から重なっており、前記ベース部は、前記サイドメンバーの後傾部に下方から挿入されている」
という構成になっている。
【００１６】
請求項８の発明は独立した概念を成すもので、
「背フレーム又は背支柱に取り付けるランバーサポート装置であって、
前記背フレーム又は背支柱に取り付くベース部と、背もたれの体圧支持体に後ろから重なるパッド部と、前記パッド部の後ろに位置して当該パッド部と前記ベース部とに繋がった中間部とを有しており、前記中間部は、平面視又は正面視若しくは側面視で曲がった形状に形成されていて、着座者の体圧によって弾性変形することが許容されているか又は許容されていない」
という構成になっている。
【発明の効果】
【００１７】
本願請求項１の発明では、中間部は平面視又は側面視で曲がっているため、パッド部の前後位置や高さ位置などを、中間部の曲がり具合を加減することによって容易に調整できる。従って、設計の自由性が高い。特に、請求項４のようにパッド部を背フレームの左右側部に近づけて配置する場合、中間部を内側に回り込ませることにより、パッド部を背フレームの側部に寄せることを確実化できて好適である。
【００１８】
また、本願請求項１では、中間部が弾性変形許容部を有しているため、クッション性を向上して着座者に高い快適さを提供できる。なお、中間部は、その全体を弾性変形許容部と成すこともできるし、一部を湾曲等した弾性変形許容部とすることも可能である。
【００１９】
請求項２の構成では、材料を節約してコンパクト化することができる。また、弾性変形許容部に大きなモーメントを作用させることができるため、弾性変形を容易化できる利点もある。
【００２０】
請求項３の構成では、背フレームのサイドメンバーに取付けられるため、特許文献１と同様に、背支柱を備えていない背もたれにも適用できる。従って、汎用性が高い。また、中間部やパッド部の大きさや形状は任意に設定できるが、本願発明は設計の自由性が高くて、パッド部をサイドメンバーに寄せることは容易であるため、パッド部をサイドメンバーに近接させて、メッシュ材や可撓性インナー部材などにテンションを掛けることによってランバーサポート機能を持たせることも、容易に実現できる。
【００２１】
身体支持部の形態は様々に具体化できるが、請求項４のように、背フレームのサイドメンバーに取り付けるタイプにおいて、中間部をＪ字形又はＵ字形に形成すると、中間部が内側に回り込んでいることにより、パッド部を背フレームのサイドメンバーに近づけることができる。すなわち、パッド部をサイドメンバーに近接するように寄せることを、簡単に実現できる。
【００２２】
従って、着座者の身体をパッド部で直接に支持せずに、パッド部によってメッシュ材や可撓性インナー部材等の体圧支持体にテンションを掛けて、メッシュ材や可撓性インナー部材の一部にランバーサポート機能を持たせることを、ごく簡単に実現できる。
【００２３】
請求項５では、ランバーサポート装置は高さ調節できるため、使用者の体格や好み等に的確に対応できる。
【００２４】
ランバーサポートを高さ調節できる方式とする場合、身体支持部を摘んで昇降させることも可能であるが、請求項６のように中間部に摘み部を設けると、摘み部を指でしっかりと持つことができるため、操作性に優れている。また、摘み部は補強リブとしても機能するため、中間部のうち弾性変形許容部を除いた部位の剛性のアップにも貢献できる。
【００２５】
さて、本願出願人は、例えば特開２０１１−９２５３８号公報において、背フレームを構成するサイドメンバーが、上側に位置した後傾部と下側に位置した前傾部とで側面視く字形の形態になっている形態を開示した。この構造では、前記後傾部に体圧支持体が前から重なっており、サイドメンバーの前傾部は手前に露出している。従って、背フレームの下部は、サイドメンバーにおける後傾部の下端の下方にはみ出したオーバーハング部になっている。
【００２６】
そして、本願請求項７は、この特開２０１１−９２５３８号公報に開示されている背もたれに適用したものであり、ベース部は、サイドメンバーの後傾部に下方から挿入できるようになっているため、インナー部材等の体圧支持体の取付けを確実化しつつ、ランバーサポート装置をサイドメンバーに取り付けることができる。また、ベース部はサイドメンバーと体圧支持体との間の空間に位置しているため、ランバーサポート装置をなるべく目立たせずに、美観を向上させることもできる。
【００２７】
請求項８の発明は、請求項１の発明と同様であり、パッド部の配置の自由性を向上できる。また、中間部に弾性変形許容部を設けると、クッション性を高めて着座者の満足度を向上できる。
【図面の簡単な説明】
【００２８】
【図１】第１実施形態を適用した椅子を示す図で、（Ａ）は一部破断正面図、（Ｂ）は背面図、（Ｃ）は分離正面図である。
【図２】（Ａ）は椅子の側面図、（Ｂ）は背もたれの分離斜視図である。
【図３】（Ａ）は要部を後ろから見た部分的な斜視図、（Ｂ）は要部を後ろから見た部分的な分離斜視図である。
【図４】背板とランバーサポート装置とを表示した背面図である。
【図５】（Ａ）は分離背面図、（Ｂ）は分離側面図である。
【図６】（Ａ）はランバーサポート装置と背フレームとの分離斜視図、（Ｂ）は背フレームと背板とを図２のVIB 方向から見た分離概略平面図である。
【図７】背フレームと背板とを分離した底面図である。
【図８】（Ａ）は図７の VIIIA-VIIIA視断面図、（Ｂ）は（Ａ）のＢ−Ｂ視断面図である。
【図９】第２〜６実施形態を示す模式図である。
【図１０】第７〜１１実施形態を示す模式図である。
【図１１】第１２，１３実施形態を示す模式図である。
【発明を実施するための形態】
【００２９】
次に、本願発明の実施形態を図面に基づいて説明する。本実施形態は、既述の特開２０１１−９２５３８号公報に開示されている椅子に適用している。本実施形態では、方向を特定するため前後・左右の文言を使用するが、この前後・左右は、椅子に普通に腰掛けた人から見た状態である。正面視方向は、着座者と対向した方向である。
【００３０】
(1).椅子の概要
まず、第１実施形態を適用している椅子の概要を説明する。椅子は、オスィスで多用されているロッキング式回転椅子であり、主要要素として、脚装置１と座２と背もたれ３とを備えている。
【００３１】
脚装置１はキャスタ付きであり、図２に示すように、脚装置１の中央に立設した脚支柱４の上端に支基部５を固定し、支基部５に後傾動自在に連結した傾動部材６に、背もたれ３の構成要素である背フレーム７が固定されている。座２は、背もたれ３のロッキングに連動して後退しつつ若干後傾する。
【００３２】
背フレーム７は、基本的には前後に開口した略四角形の形態を成しており、従って、上下長手の左右のサイドメンバー８と、その上端に繋がったアッパメンバー９と、左右サイドメンバー８の下端に繋がったロアメンバー１０とを有しており、背フレーム７の下端に前向きアーム部８ｃを設けて、この前向きアーム部８ｃを傾動部材６に固定している。
【００３３】
背フレーム７の前面には背板１１が取付けられており、背板１１に、薄いクッション板（図示せず）と表皮材（張地）１２とが重ね配置されている。背板１１は、略四角形の外周枠部１３と、外周枠部１３に一体に繋がった多段の帯状支持部１４とを有しており、上下に隣り合った帯状支持部１４は、その左右両端寄りの部位においてブリッジ部１５で連結されている。
【００３４】
例えば図５に明示するように、ブリッジ部１５は正面視でコ字形の形態を成している。従って、帯状支持部１４には、ブリッジ部１５を形成するために、略Ｌ形のスリット１６が形成されている。上下に隣り合ったブリッジ部１５は、水平方向に交互にずれるように千鳥配列されている。
【００３５】
図２に明示するように、背フレーム７のサイドメンバー８は、上側の半分以上を占める後傾部８ａと、その下端に繋がった前傾部８ｂとを有しており、従って、側面視く字形の形態を成している。他方、背板１１は、平面視では前向きに凹みつつ、側面視では前向きに突出した湾曲部１１ａを有している。そして、背板１１の湾曲部１１ａの頂点は、サイドメンバー８の屈曲の頂点１８よりも下に位置している。従って、背板１１の湾曲部１１ａの大部分は、サイドメンバー８の頂点１８よりも下方に位置している。背板１１の下端は自由端になっており、背フレーム７には固定されていない。
【００３６】
例えば図２（Ｂ）に示すように、背フレーム７のサイドメンバー８及びアッパメンバー９には、前向きに開口した長溝２０、２１が形成されている。他方、詳細は省略するが、背板１１の左右側部と上部とには、背フレーム７の長溝２０，２１に入り込む位置決めボス体や係合爪が形成されており、長溝２０，２１に形成した係合部に背板１１の係合爪を係合させることにより、背板１１を背フレーム７に取り付けている。
【００３７】
(2).ランバーサポート装置
例えば図２のとおり、背フレーム７を構成するサイドメンバー８の後傾部８ａに、樹脂製のランバーサポート装置２３が取付けられている。ランバーサポート装置２３は、サイドメンバー８の後傾部８ａに下方から挿入される上下長手で帯板状のベース部２４と、ベース部２４の下端に一体に設けた身体支持部２５とを有している。
【００３８】
例えば図６（Ｂ）に示すように、身体支持部２５は、背板１１の背面に当たるパッド部２６と、パッド部２６とベース部２４とに繋がった中間部２７とで構成されており、中間部２７に、板状の摘み部２８を後ろ向きに突設している。なお、ランバーサポート装置２３は、ポリカーボネイトやナイロン樹脂などで成形されているが、透明又は半透明とすることも可能である。
【００３９】
パッド部２６は、平面視で前向き凸状に緩く湾曲している。他方、中間部２７は、前向き凹状に緩く湾曲しつつ、ベース部２４と反対側の部位は平面視で内側に巻き込むようにカールしている。従って、中間部２７は、湾曲部２７ａを有する平面視Ｊ字形になっており、湾曲部２７ａが、着座者の体圧で弾性変形可能な弾性変形許容部になっている。
【００４０】
パッド部２６のうち中間部２７と反対側の端部（先端）は自由端になっている。従って、パッド部と中間部２７とからなる身体支持部２５は、全体として、Ｃ字を潰したような平面視形状になっている。また、例えば図５（Ｂ）に示すように、パッド部２６は、側面視では前向きに膨れるように緩く湾曲している。この場合、パッド部２６と等厚で後面も湾曲しているが、厚さを異ならせて前面のみを緩く湾曲させることも可能である。
【００４１】
身体支持部２５は帯板を曲げたような形態になっており、例えば図４から明瞭に理解できるように、パッド部２６（及び中間部２７）の上下幅寸法Ｗ１は、背板１１における帯状支持部１４の上下幅寸法Ｗ２の２倍弱程度になっている。また、上下に隣り合った帯状支持部１４の間の空間３０の間隔寸法Ｗ３よりは少し大きい寸法になっている。
【００４２】
更に、パッド部２６は、背板１１のブリッジ部１５と重なる位置に配置している。背板１１に着座者の体圧が掛かると、上下に隣り合った帯状支持部１４の間の空間３０が広がることが有り得るが、パッド部２６はブリッジ部１５に当たっているため、パッド部２６が空間３０に入り込むことはない。
【００４３】
例えば図６（Ｂ）に示すように、摘み部２８は、中間部２７の湾曲部２７ａを除いた部分の全体に設けており、ベース部２４にも繋がっている。従って、摘み部２８がランバーサポート装置２３の補強効果を発揮して、中間部２７とベース部２４とから成る部分の剛性を高めている。
【００４４】
図８に示すように、ベース部２４は、サイドメンバー８の後傾部８ａに形成したガイド溝３１に、下方から上下動自在に入り込んでいる。そして、ベース部２４の後面に、多数の係合凹所３２を他段に形成している一方、サイドメンバー８の後傾部８ａには、係合凹所３２に対して弾性に抗して嵌脱する係合爪ユニット３３を装着している。係合爪ユニット３３は、ガイド溝３１に形成した凹部３４に装着している。
【００４５】
ガイド溝３１には、ベース部２４を手前と左右両側から覆うガイド枠３５が装着されている。ガイド枠３５は、ベース部２４が上下動のみするように規制するものであり，ビス止めや係合爪によって、サイドメンバー８の後傾部８ａに離脱不能に保持されている。或いは、背板１１で押さえ保持することも可能である。ベース部２４は、単なる蓋によって前向き移動不能に保持してもよい。
【００４６】
(3).まとめ
本願発明では、図７に明示するように、ランバーサポート装置２３のパッド部２６は、サイドメンバー８に大きく寄っている。具体的には、背もたれ３の縦長中心線３６からパッド部２６の内端までの間隔寸法Ｌ１が、パッド部２６の内端からサイドメンバー８までの間隔寸法Ｌ２よりもかなり大きくなっている。
【００４７】
従って、着座者Ｍの体圧がパッド部２６に直接に掛かることは殆どなくて、ランバーサポート機能は、背板１１の帯状支持部１４によって発揮される。すなわち、パッド部２６で特定の高さの帯状支持部１４にテンションを掛けることにより、特定の高さの帯状支持部１４を前向きに移動させてランバーサポート機能が発揮される。従って、着座者Ｍに対する当たりはソフトであり、突っ張り感はない。
【００４８】
このようなランバーサポート機能の発揮のためには、パッド部２６によって帯状支持部１４が押し曲げられることが必要であるが、帯状支持部１４の付け根部は変形しにくいため、パッド部２６の外端はサイドメンバー８からある程度の寸法Ｌ３だけ内側に位置させている。
【００４９】
パッド部２６が空間３０に入り込まないことは既に述べたが、パッド部２６の上下幅寸法Ｗ１は空間３０の幅寸法Ｗ２よりも少し大きい程度に過ぎないため、背板１１の湾曲部１１ａを、いわば、側面視で尖ったような状態に変形させることができる。このため、しっかりとしたランバーサポート機能を提供できる。
【００５０】
また、背板１１を介してパッド部２６に後ろ向きの荷重が掛かると、中間部２７の湾曲部２７ａが弾性変形することにより、適度のクッション性を確保することができる。これにより、着座者の快適性を向上できる。
【００５１】
(4).他の実施形態
次に、図９以下に示す他の実施形態を説明する。以下の実施形態では、背もたれ３は、背フレーム７にメッシュ材３７を張った構造になっている。このうち図９（Ａ）に示す第２実施形態は、中間部２７とパッド部２６とをループ状に繋げたものである。この場合も、中間部２７の湾曲部２７ａの変形を利用して、高いクッション性を確保することができる。
【００５２】
図１０（Ｂ）に示す第３実施形態では、パッド部２６は、身体支持部２５の基端部から内向きに延びている。この例でも、パッド部２６の内端は自由端になっているため、容易に撓み変形可能である。図９（Ｃ）に示す第４実施形態では、中間部２７は平面視でＵ字形に曲がっており、その先端にパッド部２６を連接している。この例では、中間部２７が容易に弾性変形する。
【００５３】
図９（Ｄ）（Ｅ）では、ランバーサポート装置２３は左右一体方式になっている。すなわち、左右長手の中間部２７の左右両端にそれぞれベース部２４を設けており、左右のパッド部２６を前向きに突設している。そして、（Ｄ）の第５実施形態では、左右のパッド部２６は外側に向かう姿勢になって、（Ｅ）に示す第６実施形態では、左右のパッド部２６は、相開口するように内向き姿勢になっている。図１０（Ａ）に示す第７実施形態では、パッド部２６と中間部２７とでループ構造を構成している。
【００５４】
図１０（Ｂ）に示す第８実施形態では、左右一体方式において、平面視略Ｌ形の左右の中間部２７を１つのパッド部２６で繋いでおり、従って、身体支持部２５は、全体としてクランク形状になっている。
【００５５】
図１０（Ｃ）〜（Ｅ）の９〜１１実施形態は、ランバーサポート装置２３を背支柱３８に取付けている。（Ｃ）に示す第９実施形態では、左右パッド部２６が外側に広がるようにして形成されており、（Ｄ）に示す第１０実施形態では、左右のパッド部２６は内向きに向かうように形成されている。
【００５６】
また、（Ｅ）に示す第１１実施形態では、パッド部２６は１つのループ構造になっている。身体支持部２５は、高さ調節可能になっている。背支柱３８は１本のみ表示しているが、背支柱３８が左右に配置されている場合は、左右背支柱３８に固定したブラケットにベース部２４を装着したらよい。
【００５７】
図１１に示す第１２〜１３実施形態では、中間部２７は正面視で曲がった形状になっている。このうち（Ａ）に示す第１２実施形態では、左右のサイドメンバー８に取付けられる左右分離方式において、中間部２７は、内向きから下向き、上向きと方向を変えた曲がりになっている。
【００５８】
他方、（Ｂ）に示す第１３実施形態では、ベース部２４を背支柱３８に取り付けた例において、左右の中間部２７はＬ形に曲がっている。いずれにしても、パッド部２６に後ろ向きの外力が作用すると中間部２７は容易に弾性変形し得るため、クッション性を確実化できる。また、中間部２７の長さや厚さ等を調節することにより、弾性力の設定も容易に行える（トリミングが容易である。）。
【００５９】
以上、本願発明の実施形態を説明したが、本願発明は他にも様々に具体化できる。中間部を弾性的に曲がり変形させる場合、弾性変形許容部はどの部位に形成してもよい。中間部の全体を弾性変形させることも可能である。
【産業上の利用可能性】
【００６０】
本願発明は、椅子のランバーサポート装置に具体化できる。従って、産業上利用できる。
【符号の説明】
【００６１】
３  背もたれ
７  背フレーム
８  サイドメンバー
８ａ  後傾部
１１  背板（インナー板）
１２  表皮材
１４  帯状支持部
１５  ブリッジ部
１８  背フレームの前向き頂点
１９  背板の前向き頂点
２３  ランバーサポート装置
２４  ベース部
２５  身体支持部
２６  パッド部
２７  中間部
２７ａ  弾性変形許容部である湾曲部
３８  背支柱
【図１】
2019198518.tif 000003
【図２】
2019198518.tif 000004
【図３】
2019198518.tif 000005
【図４】
2019198518.tif 000006
【図５】
2019198518.tif 000007
【図６】
2019198518.tif 000008
【図７】
2019198518.tif 000009
【図８】
2019198518.tif 000010
【図９】
2019198518.tif 000011
【図１０】
2019198518.tif 000012
【図１１】
2019198518.tif 000013